(57)【特許請求の範囲】
【請求項１】
貯蔵庫本体に形成された前面開口部の側縁には、扉が縦軸回りの揺動開閉可能に支持されたものにおいて、
前記前面開口部の上縁には、閉鎖された前記扉の揺動端部の上方に対応する位置に支持部材が設けられ、この支持部材には略水平姿勢をなす押え板が上下方向の弾性撓み可能に取り付けられて、この押え板にボールキャスタが下向きに取り付けられているとともに、
前記扉の上面の揺動端部には、当該扉が閉鎖した場合に前記ボールキャスタのボールが嵌る嵌合凹部が形成され、
前記ボールキャスタの前記ボールが前記押え板の弾性力で前記嵌合凹部に押し付けられることによりロックが掛かる構成となっていることを特徴とする貯蔵庫の扉装置。
【請求項２】
貯蔵庫本体に形成された前面開口部の側縁には、扉が縦軸回りの揺動開閉可能に支持されたものにおいて、
前記前面開口部の上縁には、閉鎖された前記扉の揺動端部の上方に対応する位置に支持部材が設けられ、この支持部材には押え板が上下方向の弾性撓み可能に取り付けられて、この押え板にボールキャスタが下向きに取り付けられているとともに、
前記扉の上面の揺動端部には、当該扉が閉鎖した場合に前記ボールキャスタのボールが嵌る嵌合凹部が形成されており、
かつ、前記支持部材は、前記前面開口部の上縁において手前側に水平に突出する形態で設けられた支持板によって形成され、この支持板には窓孔が開口されかつ突出端縁には取付板が立ち上がり形成されているとともに、
前記ボールキャスタを下向きに取り付けた前記押え板の手前側の端縁が前記取付板に片持ち状に取り付けられ、前記ボールキャスタの前記ボールが前記支持板の前記窓孔を通してその下面側に突出していることを特徴とする貯蔵庫の扉装置。
【請求項３】
前記ボールキャスタが、本体内に前記ボールが回転自由にかつ下部側を前記本体の下面から突出させた形態で収容され、かつ前記本体の裾の部分にフランジが形成された構造になっていて、
前記ボールキャスタは、前記本体を前記押え板に開口された取付孔に下面側から挿入して、前記フランジを前記取付孔の裏側の孔縁に当ててねじで止めることにより固定されており、
前記押え板の前記支持板に対する取付位置が、この押え板の下面と前記支持板の上面との間隔が、前記フランジの厚さよりも小さくなるような位置に設定されていることを特徴とする請求項２記載の貯蔵庫の扉装置。
【請求項４】
前記支持板の前記取付板には、２個のねじの挿通孔が水平方向に間隔を開けて並んで形成されているとともに、前記押え板の手前側の端縁には、前記支持板の前記取付板の裏側に当たる被取付板が立ち上がり形成されて、同被取付板には２個のねじ孔が前記挿通孔に対応して形成されており、各ねじを対応する前記挿通孔に通して前記ねじ孔に螺合することにより、前記押え板が片持ち状に取り付けられることを特徴とする請求項２または請求項３記載の貯蔵庫の扉装置。
【請求項５】
前記支持板の前記取付板に形成された前記挿通孔が水平方向の長孔状に形成されていることを特徴とする請求項４記載の貯蔵庫の扉装置。
【請求項６】
前記押え板における前記被取付板が形成された端縁とは反対側の端縁には、当該押え板に対して鋭角若しくは鈍角に立ち上がり形成された補助の被取付板が形成され、この補助の被取付板に、前記ねじ孔が形成されていることを特徴とする請求項４または請求項５記載の貯蔵庫の扉装置。
【請求項７】
前記支持板が、前記前面開口部の横幅寸法に匹敵する長さを有しており、この支持板の左右両端部に、前記押え板の取付箇所が対称に設定されていることを特徴とする請求項２ないし請求項６のいずれか一項に記載の貯蔵庫の扉装置。
【請求項８】
前記扉における前記嵌合凹部が形成された揺動端側の上面が、裏面側に向けて下り勾配となった傾斜面として形成されていることを特徴とする請求項１ないし請求項７のいずれか一項に記載の貯蔵庫の扉装置。
【請求項９】
前記扉の上面の揺動端部に形成された前記嵌合凹部が、前記扉の横幅方向に沿った横長形状に形成されていることを特徴とする請求項１ないし請求項８のいずれか一項に記載の貯蔵庫の扉装置。
【発明の詳細な説明】
【技術分野】
【０００１】
本発明は、冷蔵庫等の貯蔵庫の扉装置に関する。
【背景技術】
【０００２】
冷蔵庫の一般的な扉装置は、断熱箱体からなる冷蔵庫本体に形成された前面開口部の左右いずれか一方の側縁に、断熱扉が縦軸回りの揺動開閉可能に支持されており、断熱扉の閉鎖時において、同断熱扉の裏面の周縁部に装着されたマグネットパッキンを前面開口部の表面側の周縁に吸着させることで密着させるようになっているが、さらに密着度を高めるために、一部の扉装置では、前面開口部の上縁側にボールプランジャを下向きに設ける一方、断熱扉の上面に、同ボールプランジャのボールを嵌める嵌合凹部を形成することにより、簡易なロック機構を構成している。なお、扉装置においてボールプランジャを用いて簡易なロック機構を構成したものは、例えば特許文献１に記載されている。
【先行技術文献】
【特許文献】
【０００３】
【特許文献１】特開２００３−２２４３７４号公報
【発明の概要】
【発明が解決しようとする課題】
【０００４】
しかしながら、ボールプランジャを使用する場合は、ボールの押付力がシリンダ内に仕込まれたばねの力に依存しているため、所望の押付力を得るには、相応のばね力を持ったものを探し当てねばならず、場合によっては特注品を製造する必要がある。また配設構造についても、前面開口部の上縁に取り付けるブラケットにナットを溶接で固定しておき、同ナットにボールプランジャをねじ込むといった複雑な構造が必要となり、結果、コスト高を招くという問題があった。  
本発明は上記のような事情に基づいて完成されたものであって、その目的は、安価に製造できる簡易ロック機構を備えた扉装置を提供するところにある。
【課題を解決するための手段】
【０００５】
本発明の貯蔵庫の扉装置は、貯蔵庫本体に形成された前面開口部の側縁には、扉が縦軸回りの揺動開閉可能に支持されたものにおいて、前記前面開口部の上縁には、閉鎖された前記扉の揺動端部の上方に対応する位置に支持部材が設けられ、この支持部材には略水平姿勢をなす押え板が上下方向の弾性撓み可能に取り付けられて、この押え板にボールキャスタが下向きに取り付けられているとともに、前記扉の上面の揺動端部には、当該扉が閉鎖した場合に前記ボールキャスタのボールが嵌る嵌合凹部が形成され、前記ボールキャスタの前記ボールが前記押え板の弾性力で前記嵌合凹部に押し付けられることによりロックが掛かる構成となっているところに特徴を有する。
【０００６】
扉が閉鎖されてその終盤に到ると、押え板を上方に弾性撓みさせつつボールキャスタのボールが扉の揺動端部に乗り上げ、正規に閉鎖されると、押え板が下方に復元変位しつつ、ボールキャスタのボールが扉の揺動端部の嵌合凹部に嵌って押し付けられ、簡易的なロックが掛かる。  
ボールの押圧力を調整するに当たっては、既存のボールキャスタを使用したままで、押え板の弾性力を変えることで対応できる。またボールキャスタの配設構造についても、ボールキャスタを押え板にねじ止めで固定し、押え板も支持部材にねじ止めで固定できる、といったようにねじ止めのみで対応することが可能であり、その結果、安価に対応することができる。
【０００７】
また、以下のような構成としてもよい。  
（１）前記支持部材は、前記前面開口部の上縁において手前側に水平に突出する形態で設けられた支持板によって形成され、この支持板には窓孔が開口されかつ突出端縁には取付板が立ち上がり形成されているとともに、前記ボールキャスタを下向きに取り付けた前記押え板の手前側の端縁が前記取付板に片持ち状に取り付けられ、前記ボールキャスタの前記ボールが前記支持板の前記窓孔を通してその下面側に突出している。
【０００８】
扉が閉鎖されてその終盤に到ると、押え板は手前側の端縁を中心として奥端が持ち上げられるように弾性撓みしつつ、ボールキャスタのボールが扉の揺動端部に乗り上げ、正規に閉鎖されると、押え板は奥端が下方に下がるように復元変位しつつボールが嵌合凹部に嵌ってロックされる。  
押え板の取付高さによっては、押え板の奥端が斜め上方に傾いた姿勢で、ボールキャスタのボールを嵌合凹部に押し付けて嵌めた状態となり、この状態では、扉に対して前面開口部に押し付けられる方向の力が作用することで、扉の密着度をさらに高めることができる。
【０００９】
（２）前記ボールキャスタが、本体内に前記ボールが回転自由にかつ下部側を前記本体の下面から突出させた形態で収容され、かつ前記本体の裾の部分にフランジが形成された構造になっていて、前記ボールキャスタは、前記本体を前記押え板に開口された取付孔に下面側から挿入して、前記フランジを前記取付孔の裏側の孔縁に当ててねじで止めることにより固定されており、前記押え板の前記支持板に対する取付位置が、この押え板の下面と前記支持板の上面との間隔が、前記フランジの厚さよりも小さくなるような位置に設定されている。
【００１０】
押え板の取付高さが上記のようであると、ボールキャスタの本体のフランジにおける手前側の位置が支持板に当たって、押え板の奥端が斜め上方に傾いた姿勢で予め取り付けられ、そのため扉が閉鎖されてボールキャスタのボールが扉の嵌合凹部に嵌って押し付けられた場合、扉に対して前面開口部に押し付けられる方向の力が作用し、扉の密着度が高められる。
【００１１】
（３）前記支持板の前記取付板には、２個のねじの挿通孔が水平方向に間隔を開けて並んで形成されているとともに、前記押え板の手前側の端縁には、前記支持板の前記取付板の裏側に当たる被取付板が立ち上がり形成されて、同被取付板には２個のねじ孔が前記挿通孔に対応して形成されており、各ねじを対応する前記挿通孔に通して前記ねじ孔に螺合することにより、前記押え板が片持ち状に取り付けられる。  
スペースの広い手前側からねじ止め作業を行うことで、押え板を支持板に取り付けることができ、押え板の取付作業を能率良く行うことができる。
【００１２】
（４）前記支持板の前記取付板に形成された前記挿通孔が水平方向の長孔状に形成されている。  
長孔状の挿通孔を利用して押え板の取付位置を水平方向にずらすことが可能であり、仮に扉の支持位置が間口方向にずれた場合にも、押え板に固定されたボールキャスタのボールと、扉側の嵌合凹部との位置合わせを行うことができる。
【００１３】
（５）前記押え板における前記被取付板が形成された端縁とは反対側の端縁には、当該押え板に対して鋭角若しくは鈍角に立ち上がり形成された補助の被取付板が形成され、この補助の被取付板に、前記ねじ孔が形成されている。  
鋭角に立ち上がった補助の被取付板を支持板の取付板に当ててねじ止めすると、押え板の奥端が斜め上方に傾いた姿勢で予め取り付けられ、扉が閉鎖されてボールキャスタのボールが扉の嵌合凹部に嵌って押し付けられた場合、扉に対して前面開口部に押し付けられる方向の力が作用し、扉の密着度が高められる。  
逆に、鈍角に立ち上がった補助の被取付板を支持板の取付板に当ててねじ止めすると、押え板の奥端が斜め下方に傾いた姿勢で予め取り付けられ、扉が閉鎖されてボールキャスタのボールが扉の嵌合凹部に嵌って押し付けられた場合、扉に対して前面開口部から離れる方向の力が作用し、扉の密着度が弱められる。
【００１４】
（６）前記支持板が、前記前面開口部の横幅寸法に匹敵する長さを有しており、この支持板の左右両端部に、前記押え板の取付箇所が対称に設定されている。扉が左右逆開きであった場合にも対応できる。  
（７）前記扉における前記嵌合凹部が形成された揺動端側の上面が、裏面側に向けて下り勾配となった傾斜面として形成されている。ボールキャスタのボールが扉の揺動端側における裏面の角部から上面に乗り上げる際の掛かり代が少なくて済み、同角部が摩耗し難くなって耐久性が向上する。  
（８）前記扉の上面の揺動端部に形成された前記嵌合凹部が、前記扉の横幅方向に沿った横長形状に形成されている。扉の支持位置が間口方向にずれた場合にも、押え板に固定されたボールキャスタのボールが、扉側の嵌合凹部に嵌ってロックされることが担保される。
【発明の効果】
【００１５】
本発明によれば、安価に製造できる簡易ロック機構を備えた扉装置を提供することができる。
【図面の簡単な説明】
【００１６】
【図１】本発明の実施形態１に係る急速冷却庫の開扉状態の正面図
【図２】ボールキャスタの配設部分の分解斜視図
【図３】ロック機構を示す斜視図
【図４】閉扉間近の状態の一部切欠側面図
【図５】閉扉時の一部切欠側面図
【図６】実施形態２に係るボールキャスタの取付構造を示す断面図
【図７】実施形態３に係るボールキャスタの配設部分の分解斜視図
【図８】実施形態４に係るボールキャスタの配設部分の分解斜視図
【図９】そのボールキャスタの取付構造を示す断面図
【図１０】変形例に係るボールキャスタの取付構造を示す断面図
【図１１】実施形態５に係る支持板の斜視図
【図１２】実施形態６に係る閉扉間近の状態の一部切欠側面図
【図１３】その閉扉時の一部切欠側面図
【図１４】実施形態７に係るロック機構を示す斜視図
【発明を実施するための形態】
【００１７】
以下、本発明の実施形態を添付図面に基づいて説明する。  
＜実施形態１＞
本発明の実施形態１を図１ないし図５によって説明する。この実施形態１では、急速冷却庫の扉装置に適用した場合を例示している。  
急速冷却庫の全体構造を図１によって説明すると、機械室１１の上面に冷却庫本体１０（以下、単に本体１０という）が載置され、機械室１１の底面に配された脚１２によって支持されている。
【００１８】
本体１０は前面が開口された縦長の断熱箱体からなり、同本体１０の前面開口部１３には、断熱扉１５が正面から見た左側縁を中心として揺動開閉可能に装着されている。断熱扉１５は、少なくとも表面と周面とがステンレス鋼板等の金属板で形成されている。  
図４及び図５に示すように、断熱扉１５の裏面の周縁にはマグネットパッキン１７が装着されているとともに、前面開口部１３の周縁部にはマグネット１８が埋設されており、断熱扉１５の閉鎖時には、マグネットパッキン１７が前面開口部１３の周縁部に吸着されて密着し、前面開口部１３を密閉するようになっている。
【００１９】
本体１０の内部すなわち庫内では、正面から見た左側の領域に冷却ユニット２０が設置されている一方、右側の領域が食品の収納室２５とされて、多段に棚２６が形成されている。冷却ユニット２０内には、冷却器２１と冷却ファン２２とが収容され、冷却器２１は機械室１１内に装備された圧縮機、凝縮器等からなる冷凍装置（図示せず）と冷媒配管により循環接続されている。  
基本的な冷却運転は、冷凍装置（圧縮機）と冷却ファン２２とが駆動されることで行われ、これにより、収納室２５の空気が冷却ユニット２０における収納室２５と対向した表面側から冷却ユニット２０内に吸引されて冷却器２１を通過する間に冷気が生成され、冷却ユニット２０の背面から吹き出された冷気が、庫内の左側壁に当たって手前と奥に分かれて冷却ユニット２０の手前側と奥側の側面に回り込んだのち、収納室２５に送り込まれるといった循環流を生じ、これによりトレイ等に入れられて棚２６上に収納された食品が急速冷却されるようになっている。
【００２０】
次に、断熱扉１５を閉鎖状態に保持するロック機構Ｒについて、図２ないし図５によって説明する。  
本体１０の前面開口部１３の上縁部１４には、後記するボールキャスタ５０を支持するための金属板製の支持板３０（本発明の支持部材に相当）が配設されている。支持板３０は、前面開口部１３の横幅寸法（間口）よりも少し大きい長さ寸法を持った帯状をなし、その奥縁側に立ち上がり形成された取付板３１が、前面開口部１３の上縁部１４におけるマグネット１８の埋設位置の上方位置に当てられて、長さ方向に沿った複数箇所をねじ３２で止めることによって固定されている。  
言い換えると支持板３０は、図５に示すように、閉鎖された断熱扉１５の上面１６の所定寸法上方位置において、前面開口部１３の上縁部１４から手前側に水平姿勢で突出しており、その突出端縁は、同断熱扉１５の表面の少し奥側の位置に達している。支持板３０の突出端縁には、上記した奥側の取付板３１よりも背の低い取付板３４が、直角曲げされて立ち上がり形成されている。
【００２１】
上記した支持板３０における右端部、すなわち閉鎖した断熱扉１５の揺動端部の上方に対応する位置には、ボールキャスタ５０の配設箇所が設定されている。同配設箇所では、支持板３０における幅方向のほぼ中央部に、円形の窓孔３５が開口されている。また、手前側の取付板３４には、ねじ３６の挿通孔３７が２個、左右方向に間隔を開けて並んで形成されてる。
【００２２】
ボールキャスタ５０は、ほぼ半球形をなす本体５１内にボール５５が回転自由に、かつ下部側を本体５１の下面から突出させた形態で収容されている。より詳細には、本体５１の裾の部分にはフランジ５２が形成され、同フランジ５２の下面側に形成された小径の止め部５３によりボール５５が抜け止めされ、ボール５５は同止め部５３の下面から下部側の一部を突出させた構造となっている。支持板３０に開口された窓孔３５と比べて、フランジ５２は大径であり、止め部５３は小径である。
【００２３】
一方、ボールキャスタ５０を取り付けるための押え板４０が設けられている。この押え板４０は金属板製であって、上記した支持板３０の奥行（幅）よりも少し小さい奥行を持った平面略正方形に形成されている。押え板４０の手前の端縁には、支持板３０の取付板３４の上部領域に当接可能な被取付板４１が直角に立ち上がり形成され、被取付板４１には、２個のねじ孔４２が挿通孔３７と対応して形成されている。  
また押え板４０には、後記するように支持板３０に対して取り付けられた場合における窓孔３５と同心に対応する位置に、円形の取付孔４４が開口されている。この取付孔４４は、ボールキャスタ５０の半球形の本体５１が嵌合可能な大きさである。
【００２４】
ボールキャスタ５０は、押え板４０の取付孔４４内に本体５１が下面側から挿通されている。このようにボールキャスタ５０を挿通した押え板４０の被取付板４１が、支持板３０の取付板３４の裏側の所定位置に当てられ、このとき図４に示すように、押え板４０は水平姿勢を採って、その下面側に配されたボールキャスタ５０の本体５１のフランジ５２が支持板３０の窓孔３５の表側の孔縁に載せられ、また、止め部５３が窓孔３５内に嵌ってボール５５が下面側に所定寸法突出した状態となる。  
この状態において、支持板３０の取付板３４に形成された各挿通孔３７に、それぞれねじ３６が前方から通されて、裏側の被取付板４１のねじ孔４２に締め込まれて固定されることにより、押え板４０は、支持板３０の取付板３４に固定された手前側の端縁を中心に、奥端側が上下方向に撓み変位可能な片持ち状に取り付けられる。
【００２５】
一方、断熱扉１５の上面１６の揺動端部、詳細には当該断熱扉１５が閉鎖した場合におけるボールキャスタ５０の直下位置に、同ボールキャスタ５０のボール５５が嵌る球形の一部をなすような嵌合凹部６０が凹み形成されている。  
ここで、押え板４０の下面からボールキャスタ５０のボール５５の下面まで寸法が、押え板４０の下面から断熱扉１５の上面１６に凹み形成された嵌合凹部６０の底までの寸法よりも少し大きくなるように設定されている。  
なお、本体１０の上面には、上記した支持板３０の上方を覆い隠すようにしてカバー１０Ａが被着されている。
【００２６】
続いて、本実施形態の作用を説明する。  
断熱扉１５が閉鎖されてその終盤に到ると、押え板４０は手前側の端縁を中心として奥端が持ち上げられるように弾性撓みしつつ、ボールキャスタ５０のボール５５が断熱扉１５の揺動端部の上面１６に乗り上げ、図５に示すように、マグネットパッキン１７がマグネット１８に吸着されて密着した正規位置に閉鎖されると、押え板４０は奥端が下がるように復元変位しつつボール５５が嵌合凹部６０に嵌って押し付けられ、簡易的なロックが掛かる。これにより、断熱扉１５の前面開口部１３に対する密着度がより高められる。
【００２７】
この実施形態では、ボール５５の押圧力を調整するに当たっては、規格品のボールキャスタ５０を使用したままで、押え板４０の板厚や素材を変える等、押え板４０自体の弾性力を変えることで対応できる。またボールキャスタ５０の配設構造についても、ボールキャスタ５０を押え板４０に嵌めておいて同押え板４０を支持板３０にねじ止めで固定できる、といったようにねじ止めのみで対応することが可能であり、その結果安価に対応することができる。
【００２８】
押え板４０は、手前側の端縁が固定された片持ち状に取り付けられているから、図５に示すように、押え板４０の奥端が斜め上方に傾いた姿勢で、ボールキャスタ５０のボール５５を嵌合凹部６０に押し付けて嵌った状態となり、この状態では、断熱扉１５に対して前面開口部１３に押し付けられる方向の力が作用することで、断熱扉１５の密着度をさらに高めることができる。  
また、スペースの広い手前側からねじ止め作業を行うことで、押え板４０を支持板３０に取り付けることができ、押え板４０の取付作業を能率良く行うことができる。
【００２９】
＜実施形態２＞
図６は本発明の実施形態２を示す。この実施形態２では、実施形態１と比べて、押え板４０の取付高さに変更が加えられている。  
具体的には、押え板４０の支持板３０に対する取付位置が、押え板４０の下面と支持板３０の上面との間隔ａが、ボールキャスタ５０の本体５１のフランジ５２の厚さｂよりも小さくなるような位置に設定されている。
【００３０】
このような設定であると、ボールキャスタ５０の本体５１のフランジ５２における手前側の位置が支持板３０に当たって、押え板４０の奥端が斜め上方に傾いた姿勢で予め取り付けられ、そのため断熱扉１５が閉鎖されてボールキャスタ５０のボール５５が断熱扉１５の嵌合凹部６０に嵌って押し付けられた場合、断熱扉１５に対して、同図の矢線に示すように前面開口部１３に押し付けられる方向の力Ｆが作用し、断熱扉１５の密着度が高められる。なお、力Ｆの作用方向は、若干誇張して記載されている。
【００３１】
＜実施形態３＞
図７は本発明の実施形態３を示す。この実施形態３では、支持板３０の取付板３４に形成されたねじ３６の挿通孔３７Ａが横方向に長い長孔状に形成されている。他の構造については、上記実施形態１と同様である。  
このような構造では、長孔状の挿通孔３７Ａを利用して押え板４０の取付位置を左右方向にずらすことが可能であり、仮に断熱扉１５の支持位置が左右方向にずれた場合にも、押え板４０に固定されたボールキャスタ５０のボール５５と、断熱扉１５側の嵌合凹部６０との位置合わせを行うことができる。
【００３２】
＜実施形態４＞
本発明の実施形態４を図８及び図９によって説明する。この実施形態４では、図８に示すように、押え板４０Ａにおける被取付板４１が形成された端縁とは反対側の端縁に、当該押え板４０に対して鋭角に立ち上がり形成された補助の被取付板４５が形成されており、この補助の被取付板４５にもねじ孔４２が形成されている。  
この構造では、図９に示すように、鋭角に立ち上がった補助の被取付板４５を支持板３０の取付板３４に当ててねじ３６で止めると、押え板４０Ａの奥端が斜め上方に傾いた姿勢で予め取り付けられ、断熱扉１５が閉鎖されてボールキャスタ５０のボール５５が断熱扉１５の嵌合凹部６０に嵌って押し付けられた場合、断熱扉１５に対して前面開口部１３に押し付けられる方向の力が作用し、断熱扉１５の密着度が高められる。密着度を高くするように調整する場合に便利である。
【００３３】
なお、変形例として、図１０に示すように、押え板４０Ｂにおける被取付板４１が形成された端縁とは反対側の端縁に、当該押え板４０Ｂに対して鈍角に立ち上がり形成された補助の被取付板４６を形成してもよい。このように鈍角に立ち上がった補助の被取付板４６を支持板３０の取付板３４に当ててねじ３６で止めると、押え板４０Ｂの奥端が斜め下方に傾いた姿勢で予め取り付けられ、断熱扉１５が閉鎖されてボールキャスタ５０のボール５５が断熱扉１５の嵌合凹部６０に嵌って押し付けられた場合、断熱扉１５に対して前面開口部１３から離れる方向の力が作用し、断熱扉１５の密着度が弱められる。密着度を弱めるように、したがって断熱扉１５の開放操作が楽になるように調整する場合に便利である。
【００３４】
＜実施形態５＞
図１１は、本発明の実施形態５を示す。この実施形態５では、窓孔３５と２個のねじ３６の挿通孔３７とを備えた押え板４０の取付箇所Ｔが、支持板３０の左右両端部に対称に設定されている。  
断熱扉１５が前面開口部１３の左側縁または右側縁のいずれに揺動開閉可能に支持されている場合にも、共通の支持板３０を備えるだけで対応できる。
【００３５】
＜実施形態６＞
本発明の実施形態６を図１２及び図１３によって説明する。この実施形態６では、図１２に示すように、断熱扉１５における嵌合凹部６０が形成された上面１６Ａが、裏面側に向けて傾斜角度αで下り勾配となった傾斜面として形成されている。  
この構造では、図１３に示すようにロックされる前に、ボールキャスタ５０のボール５５が断熱扉１５の揺動端側における裏面の角部から上面１６Ａに乗り上げる際の掛かり代が少なくて済み、同角部が摩耗し難くなって耐久性が向上する。
【００３６】
＜実施形態７＞
図１４は、本発明の実施形態７を示す。この実施形態７では、ボールキャスタ５０のボール５５を嵌合するべく断熱扉１５の上面１６の揺動端部に設けられる嵌合凹部６０Ａが、断熱扉１５の幅方向に沿った横長形状に形成されている。  
この構造では、断熱扉１５の支持位置が左右方向にずれた場合にも、押え板４０に固定されたボールキャスタ５０のボール５５が、断熱扉１５側の嵌合凹部６０Ａに嵌ってロックされることが担保される。
【００３７】
＜他の実施形態＞
本発明は上記記述及び図面によって説明した実施形態に限定されるものではなく、例えば次のような実施形態も本発明の技術的範囲に含まれる。  
（１）ボールキャスタを支持する支持部材としては、単に押え板を取り付けるに足る幅狭の支持板であってもよく、また板状に限らず、押え板を弾性変位可能に支持できる限り、形状は問わない。  
（２）ボールキャスタを取り付けた押え板は、支持板に対して上下方向の弾性撓み可能な両持ち状に取り付けられていてもよい。  
（３）ボールキャスタの形状は上記実施形態に例示したものに限らず、本体内にボールが回転自由にかつ下部側を本体の下面から突出させた形態で収容されたものであれば、他の形状であってもよい。
【００３８】
（４）断熱扉の裏面に、マグネットを備えない通常のパッキンを装着した形式の扉装置にも、本発明は同様に適用可能である。  
（５）本発明は上記実施形態に例示した急速冷却庫に限らず、貯蔵庫本体に形成された前面開口部の側縁に断熱扉が縦軸回りの揺動開閉可能に支持された形式の冷却貯蔵庫全般に適用することができる。  
（６）さらに冷却貯蔵庫に限らず、縦軸回りの揺動開閉式の扉装置を備えた貯蔵庫全般に広く適用することができる。
【符号の説明】
【００３９】
１０…冷却庫本体（貯蔵庫本体）  １３…前面開口部  １４…（前面開口部１３の）上縁部  １５…断熱扉（扉）  １６，１６Ａ…（断熱扉１５の）上面  ３０…支持板（支持部材）  ３４…取付板  ３５…窓孔  ３６…ねじ  ３７，３７Ａ…挿通孔  ４０，４０Ａ，４０Ｂ…押え板  ４１…被取付板  ４２…ねじ孔  ４４…取付孔  ４５…補助の被取付板  ４６…補助の被取付板  ５０…ボールキャスタ  ５１…本体  ５２…フランジ  ５５…ボール  ５７…ねじ  ６０，６０Ａ…嵌合凹部  Ｒ…ロック機構  Ｔ…取付箇所
【図１】
0005492056.tif 000002
【図２】
0005492056.tif 000003
【図３】
0005492056.tif 000004
【図４】
0005492056.tif 000005
【図５】
0005492056.tif 000006
【図６】
0005492056.tif 000007
【図７】
0005492056.tif 000008
【図８】
0005492056.tif 000009
【図９】
0005492056.tif 000010
【図１０】
0005492056.tif 000011
【図１１】
0005492056.tif 000012
【図１２】
0005492056.tif 000013
【図１３】
0005492056.tif 000014
【図１４】
0005492056.tif 000015